【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
超音波撮像システムであって、
介入器具の画像を含む超音波画像を生成するための命令を実行するように構成されたプロセッサを備え、
前記超音波画像は、
組織を撮像するために使用される第１の範囲の画像操向角度を含む１つ以上の撮像パラメータを有する第１の撮像識別特性を確立することと、
前記介入器具の可視化のために使用される第２の範囲の画像操向角度を含む１つ以上の撮像パラメータを有する第２の撮像識別特性を確立することと、
前記第１の撮像識別特性の適用から生じる画像データを用いて複数の第１のサブフレームを生成することと、
前記第２の撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記介入器具の可視化が可能である有効範囲面積を示すグラフィックを前記最終超音波画像上に生成することと
によって生成される、システム。
【請求項２】
前記介入器具は、針、カテーテル、ステント、および経皮的ツールから成る群から選択される、請求項１に記載のシステム。
【請求項３】
前記第１の撮像識別特性の前記第１の範囲の操向角度は、所望の品質において前記組織の撮像を提供するように事前に決定され、前記第２の撮像識別特性の前記第２の範囲の操向角度は、所望の品質において前記介入器具の撮像を提供するように決定される、請求項１に記載のシステム。
【請求項４】
前記第２の撮像識別特性のための前記第２の範囲の操向角度は、前記第１の撮像識別特性の前記第１の範囲の操向角度より急角度である、請求項１に記載のシステム。
【請求項５】
前記第１の範囲の操向角度は、プラス２０度より小さくかつマイナス２０度より大きい操向角度規模を含み、第２の範囲の撮像信号操向角度は、プラス２０度より大きいかまたはマイナス２０度より小さい操向角度規模を含む、請求項４に記載のシステム。
【請求項６】
前記プロセッサベースのシステムはさらに、前記第２の撮像識別特性を用いて提供されるデータ内に前記介入器具を検出するように動作可能である、請求項１に記載のシステム。
【請求項７】
介入器具の画像を含む超音波画像を生成するための超音波機械の作動方法であって、前記方法は、
組織を撮像するために使用される第１の範囲の撮像操向角度を含む１つ以上の撮像パラメータを有する第１の超音波撮像識別特性を確立することと、
前記介入器具の可視化のために使用される第２の範囲の撮像操向角度を含む１つ以上の撮像パラメータを有する第２の超音波撮像識別特性を確立することと、
前記第１の超音波撮像識別特性の適用から生じる画像データを用いて複数の第１のサブフレームを生成することと、
前記第２の超音波撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、前記第２の超音波撮像識別特性の適用から生じる画像データを含む、ことと
を含む、方法。
【請求項８】
介入器具の画像を含む超音波画像を生成するための超音波機械の作動方法であって、前記方法は、
組織を撮像するために使用される第１の範囲の撮像操向角度を含む１つ以上の撮像パラメータを有する第１の超音波撮像識別特性を確立することと、
前記介入器具の可視化のために使用される第２の範囲の撮像操向角度を含む１つ以上の撮像パラメータを有する第２の超音波撮像識別特性を確立することと、
前記第１の超音波撮像識別特性の適用から生じる画像データを用いて複数の第１のサブフレームを生成することと、
前記第２の超音波撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、前記第１および第２の超音波撮像識別特性の適用から生じる画像データを含む、ことと
を含む、方法。
【請求項９】
介入器具の画像を含む超音波画像を生成するための超音波機械の作動方法であって、前記方法は、
組織を撮像するために使用される第１の範囲の撮像操向角度を含む１つ以上の撮像パラメータを有する第１の超音波撮像識別特性を確立することと、
前記介入器具の可視化のために使用される第２の範囲の撮像操向角度を含む１つ以上の撮像パラメータを有する第２の超音波撮像識別特性を確立することと、
前記第１の超音波撮像識別特性の適用から生じる画像データを用いて複数の第１のサブフレームを生成することと、
前記第２の超音波撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、前記第１の超音波撮像識別特性のみの適用から生じる画像データを含む、ことと
を含む、方法。
【請求項１０】
介入器具の画像を含む超音波画像を生成するための超音波機械の作動方法であって、前記方法は、
組織を撮像するために使用される第１の範囲の撮像操向角度を含む１つ以上の撮像パラメータを有する第１の超音波撮像識別特性を確立することと、
前記介入器具の可視化のために使用される第２の範囲の撮像操向角度を含む１つ以上の撮像パラメータを有する第２の超音波撮像識別特性を確立することと、
前記第１の超音波撮像識別特性の適用から生じる画像データを用いて複数の第１のサブフレームを生成することと、
前記第２の超音波撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像内に前記第２の超音波撮像識別特性を用いて撮像される面積を表すグラフィックを前記最終超音波画像上に生成することと
を含む、方法。
【請求項１１】
前記第２の画像フレームの一部は、前記第１のフレームより少ないピクセルを有する、請求項７〜１０のいずれか一項に記載の方法。
【請求項１２】
前記第２の範囲の撮像操向角度は、前記第１の範囲の撮像操向角度より急角度である、請求項７〜１０のいずれか一項に記載の方法。
【請求項１３】
前記第１の範囲の撮像操向角度は、プラス２０度より小さくかつマイナス２０度より大きい操向角度規模を含み、前記第２の範囲の撮像操向角度は、プラス２０度より大きいかまたはマイナス２０度より小さい操向角度規模を含む、請求項７〜１０のいずれか一項に記載の方法。
【請求項１４】
前記複数の第１のサブフレームは、総計第１の数の第１のサブフレームを含み、前記少なくとも１つの第２のサブフレームは、総計第２の数の第２のサブフレームを含み、前記第２の数は、前記第１の数より少なく、前記第２の範囲の撮像操向角度は、前記第１の範囲の撮像操向角度より急角度である、請求項７〜１０のいずれか一項に記載の方法。
【請求項１５】
前記介入器具の終点を示すグラフィックを前記最終超音波画像上に生成することをさらに含む、請求項７〜１０のいずれか一項に記載の方法。
【請求項１６】
前記最終超音波画像内の有効範囲面積を示す境界を表示することをさらに含み、前記有効範囲面積は、前記第２の超音波撮像識別特性の前記パラメータのうちの１つ以上に基づいて生成される前記介入器具の画像を含み、前記境界の一部は、前記グラフィックを含む、請求項７〜１０のいずれか一項に記載の方法。
【請求項１７】
前記少なくとも１つの第２のサブフレームは、複数の第２のサブフレームを含み、前記第２の画像フレームを生成することは、前記複数の第２のサブフレームを空間複合することを含む、請求項７〜１０のいずれか一項に記載の方法。
【請求項１８】
前記第２の画像フレームの一部は、前記第１の画像フレームより少ないピクセルを有する、請求項７〜１０のいずれか一項に記載の方法。
【請求項１９】
超音波撮像システムであって、
介入器具の画像を含む超音波画像を生成するための命令を実行するように構成されたプロセッサを備え、
前記超音波画像は、
組織を撮像するために使用される第１の範囲の画像操向角度を含む１つ以上の撮像パラメータを有する第１の撮像識別特性を確立することと、
前記介入器具の可視化のために使用される第２の範囲の画像操向角度を含む１つ以上の撮像パラメータを有する第２の撮像識別特性を確立することと、
前記第１の撮像識別特性の適用から生じる画像データを用いて複数の第１のサブフレームを生成することと、
前記第２の撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、第２の超音波撮像識別特性の適用から生じる画像データを含む、ことと
によって生成される、システム。
【請求項２０】
超音波撮像システムであって、
介入器具の画像を含む超音波画像を生成するための命令を実行するように構成されたプロセッサを備え、
前記超音波画像は、
組織を撮像するために使用される第１の範囲の画像操向角度を含む１つ以上の撮像パラメータを有する第１の撮像識別特性を確立することと、
前記介入器具の可視化のために使用される第２の範囲の画像操向角度を含む１つ以上の撮像パラメータを有する第２の撮像識別特性を確立することと、
前記第１の撮像識別特性の適用から生じる画像データを用いて複数の第１のサブフレームを生成することと、
前記第２の撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、第１および第２の超音波撮像識別特性の適用から生じる画像データを含む、ことと
によって生成される、システム。
【請求項２１】
超音波撮像システムであって、
介入器具の画像を含む超音波画像を生成するための命令を実行するように構成されたプロセッサを備え、
前記超音波画像は、
組織を撮像するために使用される第１の範囲の画像操向角度を含む１つ以上の撮像パラメータを有する第１の撮像識別特性を確立することと、
前記介入器具の可視化のために使用される第２の範囲の画像操向角度を含む１つ以上の撮像パラメータを有する第２の撮像識別特性を確立することと、
前記第１の撮像識別特性の適用から生じる画像データを用いて複数の第１のサブフレームを生成することと、
前記第２の撮像識別特性の適用から生じる画像データを用いて少なくとも１つの第２のサブフレームを生成することと、
前記複数の第１のサブフレームを空間複合することにより、第１の画像フレームを生成することと、
前記少なくとも１つの第２のサブフレームを用いて第２の画像フレームを生成することであって、前記第２の画像フレームは、前記介入器具の画像を含む、ことと、
前記第１の画像フレームと前記第２の画像フレームの一部とからのピクセルを混合することにより、最終超音波画像を形成することと、
前記最終超音波画像の領域を示すグラフィックを前記最終超音波画像上に生成することであって、前記領域は、第１の超音波撮像識別特性のみの適用から生じる画像データを含む、ことと
によって生成される、システム。